(57)【要約】【課題】  ディスク装置に対して損傷等を生じさせることなく組付状態が確実に保持されてキーによる施錠、解錠操作を行って第三者による不正操作を防止する。【解決手段】  ケース体２１と鍵体２４と疑似ディスクカートリッジ体２５と第１ロックプレート２７と第２ロックプレート２８とを備え、疑似ディスクカートリッジ体２５が記録再生部１１に保持され、キー操作によって第１ロックプレート２７と第２ロックプレート２８とをＦＤ挿脱口５内に嵌合させることにより、疑似ディスクカートリッジ体２５のイジェクト操作を不能とさせて不正使用を防止する。【選択図】  図４
2006302448.tif 000002
【特許請求の範囲】
【請求項１】
ディスク挿脱口に取り付けることによって不正使用を防止するフレキシブルディスク装置の不正使用防止装置において、
背面側を開口してガイド開口部を構成したケース体と、
上記ケース体の前面部に鍵本体部が取り付けられ、キー操作によって上記鍵本体部から上記ケース体の内部をスライド動作される駆動ロッドを有する鍵体と、
基端側を上記ケース体内に固定され、上記ディスク挿脱口から装填されて記録再生部に保持される疑似ディスクカートリッジ体と、
上記ケース体内にスライド自在に収納され、基端側に上記駆動ロッドとの連結部が設けられるとともに、上記ガイド開口部から突出する先端側が上記ディスク挿脱口に嵌挿されるロックプレートとを備え、
上記疑似ディスクカートリッジ体を上記ディスク挿脱口から上記フレキシブルディスク装置の内部に装填して上記記録再生部に保持した状態でキー操作による上記鍵体の施錠により上記駆動ロッドを介して上記ロックプレートが押圧されて上記ディスク挿脱口に嵌合され、
上記鍵体からキーが抜き取られることによって上記ディスク挿脱口内に嵌合状態を保持された上記ロックプレートにより、上記疑似ディスクカートリッジ体の上記記録再生部からのイジェクト操作を不能とすることを特徴とするフレキシブルディスク装置の不正使用防止装置。
【請求項２】
ディスク挿脱口に取り付けることによって不正使用を防止するフレキシブルディスク装置の不正使用防止装置において、
背面側を開口してガイド開口部を構成したケース体と、
上記ケース体の前面部に鍵本体部が取り付けられ、キー操作によって上記鍵本体部から上記ケース体の内部をスライド動作される駆動ロッドを有する鍵体と、
基端側を上記ケース体内に固定されるとともに先端側が上記ガイド開口部を介して突出された連結プレートと、
上記連結プレートに取り付けられ、上記ディスク挿脱口から装填されて記録再生部に保持される疑似ディスクカートリッジ体と、
上記ケース体内にスライド自在に収納され、基端側に上記駆動ロッドとの連結部が設けられるとともに、上記ガイド開口部から突出する先端側が上記ディスク挿脱口に嵌挿される第１ロックプレートと、
上記第１ロックプレート上にカム手段を介して一体若しくは独立してスライド動作を自在に重ね合わされて全体として上記ディスク挿脱口の開口高さよりも大きな厚みとするプレート体を構成し、このプレート体の先端部位を上記ディスク挿脱口の開口高さよりも小さい厚みとするように薄厚とされた先端縁から基端部に向かって次第に厚みを大きくするロックテーパ部が形成された第２ロックプレートと、
上記第２ロックプレートに対して上記ガイド開口部から突出する方向に弾性力を作用させる弾性部材とを備え、
上記疑似ディスクカートリッジ体を上記ディスク挿脱口から上記フレキシブルディスク装置の内部に装填して上記記録再生部に保持した状態でキー操作による上記鍵体の施錠が行われることにより、上記駆動ロッドが上記第１ロックプレートを押圧して上記カム手段を介して上記第２ロックプレートを一体にして上記ディスク挿脱口側へとスライド動作させることで、上記ディスク挿脱口に対して上記第１ロックプレートが内部に嵌挿するとともに上記第２ロックプレートの上記ロックテーパ部の一部が内部に嵌合した状態となり、
上記鍵体からキーが抜き取られることによって、上記ディスク挿脱口内に嵌合状態を保持された上記第１ロックプレートと上記第２ロックプレートとにより上記疑似ディスクカートリッジ体の上記記録再生部からのイジェクト操作を不能とすることを特徴とするフレキシブルディスク装置の不正使用防止装置。
【発明の詳細な説明】
【技術分野】
【０００１】
本発明は、フレキシブルディスク（以下、ＦＤと略称する。）を収納したフレキシブルディスクカートリッジ（以下、ＦＤカートリッジと略称する。）が装填され、ＦＤに対して情報信号等の記録再生処理を行うフレキシブルディスク装置（以下、ＦＤ装置と略称する。）に取り付けることによって第三者による不正使用を防止するＦＤ装置の不正使用防止装置に関する。
【背景技術】
【０００２】
ＦＤ装置は、例えばパーソナルコンピュータに内蔵されたり、外付け装置としてＵＳＢ（Universal Serial Bus）ケーブルによって接続して用いられる。ＦＤ装置は、筐体に設けたディスク挿脱口から装填されたＦＤカートリッジを記録再生部に取り込むとともに、例えば記録再生部に設けたスピンドルハブ上にＦＤ側の金属製ハブをチャッキングして保持する。ＦＤ装置は、スピンドル軸を駆動してＦＤを回転させながら、磁気ヘッドによりデータ等の記録或いは再生処理を行う。
【０００３】
ところで、パーソナルコンピュータにおいては、一般に電源を投入してＯＳソフトウェアを立ち上げた状態でメモリへのアクセスが行われる。パーソナルコンピュータにおいては、ＦＤ装置を内蔵している場合に、内蔵したハードディスクへのアクセスとともにこのＦＤ装置へのアクセスも同時に行うようにオペレーションシステム（ＯＳ）ソフトウェアが設定されている場合がある。パーソナルコンピュータにおいては、ＯＳソフトウェアを立ち上げた状態で、例えばパスワードを入力することにより使用可能とするように設定することによって不正使用を防止する対応が図られている。
【０００４】
しかしながら、パーソナルコンピュータにおいては、パスワードを入力して正規の処理を行わずにＦＤ装置側からバイパスルートを介してハードディスクへの不正なアクセス操作を行うことにより、ハードディスクに記憶された個人情報等のデータが不正にコピーされるといった不正操作が行われることがある。このため、パーソナルコンピュータにおいては、いわゆるアクセサリー装置として、正規の使用者以外の第三者によるＦＤ装置の不正使用を防止する種々の不正使用防止装置が提供されている。
【０００５】
不正使用防止装置は、例えばＦＤカートリッジが挿脱されるディスク挿脱口に嵌合されることによりこのディスク挿脱口を閉塞するプレート部と、このプレート部の前端部に一体に設けられてキーによる施錠、施錠操作が行われることによってロック片が出入りする鍵体部とから構成される。不正使用防止装置は、プレート部をディスク挿脱口に嵌合した状態でキーの施錠操作が行われると、鍵体部のロック片がディスク挿脱口を設けた前面パネルの内側に突出してロック状態となる。
【０００６】
不正使用防止装置は、これによってディスク挿脱口を閉塞してＦＤ装置を使用不能の状態とする。不正使用防止装置は、鍵体部の鍵穴にキーを差し込んで解錠操作を行うことによって、前面パネルの内側に突出していたロック片が引き込んでロック状態が解除されてディスク挿脱口からの取り外しが可能となる。
【発明の開示】
【発明が解決しようとする課題】
【０００７】
ＦＤ装置の不正使用防止装置は、上述したようにディスク挿脱口を閉塞してＦＤ装置を使用不能の状態とすることで、第三者がＦＤ装置を介してハードディスクに不正にアクセスして記憶されたデータ等をコピーするといった不正操作を防止する。しかしながら、従来の不正使用防止装置は、ディスク挿脱口に組み付けて鍵体部のロック片を前面パネルに係合させる構造であることから、脱落しやすく容易に不正操作を行わさせてしまうといった問題があった。
【０００８】
また、従来の不正使用防止装置は、第三者がディスク挿脱口から取り外そうとして強引に引張る等の操作を行った場合に、ロック片によって前面パネルを損傷させるといった問題があった。さらに、従来の不正使用防止装置は、ディスク挿脱口が各メーカの仕様によってそれぞれ異にして構成されることから、それぞれの仕様に応じた鍵体部が用意されなければならなかった。したがって、従来の不正使用防止装置は、各種のＦＤ装置に対する互換性が無く、比較的高額となってしまうといった問題があった。
【０００９】
したがって、本発明は、フレキシブルディスク装置に対して損傷等を生じさせることなく組付状態が確実に保持され、キーによる施錠、解錠操作によってのみディスク装置を使用することを可能として第三者による不正操作を防止するフレキシブルディスク装置の不正使用防止装置を提供することを目的とする。
【課題を解決するための手段】
【００１０】
上述した目的を達成する本発明にかかるフレキシブルディスク装置の不正使用防止装置は、ケース体と、鍵体と、疑似ディスクカートリッジ体と、ロックプレートとを備える。不正使用防止装置は、フレキシブルディスク装置に対してディスク挿脱口を閉塞するようにして取り付けられ、キーによる施錠操作が行われることによって取付状態が保持されるとともにキーによる解錠操作が行われることによって取り外されてディスク挿脱口を開放することにより、第三者による不正使用を防止する。
【００１１】
ケース体は、例えば薄箱状に形成されており、前面部を操作部とするとともに背面部が開口されてガイド開口部が構成される。鍵体は、ケース体の前面部に鍵本体部が取り付けられるとともにこの鍵本体部にスライド自在に組み込んだ駆動ロッドがケース体の内部に突出されており、鍵穴にキーを差し込んで施錠操作を行うことによって駆動ロッドがケース体の内部に突出する。疑似ディスクカートリッジ体は、正規のディスクカートリッジとほぼ等しい外形を有するとともにディスク装置側の記録再生部に設けられたディスク保持手段によって保持される保持構造を有しており、ディスク挿脱口から装填されて記録再生部に保持される。ロックプレートは、ケース体内にスライド自在に収納され、基端側に鍵体の駆動ロッドとの連結部が設けられるとともに、ケース体のガイド開口部から突出する先端側がディスク挿脱口に嵌挿される。
【００１２】
以上のように構成されるフレキシブルディスク装置の不正使用防止装置においては、フレキシブルディスク装置に対して、疑似ディスクカートリッジ体をディスク挿脱口から内部へと嵌挿するようにして組み付けられる。不正使用防止装置においては、疑似ディスクカートリッジ体のローディング操作が行われて記録再生部へと装填され、この記録再生部内でディスク保持手段によって保持される。不正使用防止装置においては、フレキシブルディスク装置に設けられたイジェクト手段を駆動するイジェクト操作が行われることにより、記録再生部に保持された疑似ディスクカートリッジ体の保持状態が解除されてフレキシブルディスク装置からの取り外しが行われる。
【００１３】
フレキシブルディスク装置の不正使用防止装置においては、疑似ディスクカートリッジ体を記録再生部に装填した状態でキーの施錠操作が行われて鍵体が施錠状態となる。不正使用防止装置においては、キーの施錠操作に伴ってケース体内に突出する駆動ロッドがロックプレートをディスク挿脱口側へと押圧する。不正使用防止装置においては、鍵体からキーが抜き取られることによってロックプレートがディスク挿脱口内に嵌合された状態となり、キーを用いて解錠操作を行わない限りフレキシブルディスク装置を使用不能の状態とする。不正使用防止装置においては、第三者が不正使用を目的としてケース体を把持してディスク挿脱口からの抜取り操作を行った場合でも、記録再生部に装填された疑似ディスクカートリッジ体が例えばシャーシに突き当たって抜取り操作を不能とさせる。また、不正使用防止装置においては、フレキシブルディスク装置のイジェクト操作が行われた場合に、ロックプレートがディスク挿脱口内に嵌合されていて移動動作を行うことができない状態にあることから、記録再生部からの疑似ディスクカートリッジ体のイジェクト動作を不能とさせる。
【００１４】
不正使用防止装置においては、鍵体にキーを差し込んで解錠操作を行うことによって駆動ロッドが初期位置へと復帰することで、ロックプレートがスライド動作してディスク挿脱口から抜け出る。不正使用防止装置においては、この状態でフレキシブルディスク装置のイジェクト操作が行われることで記録再生部からの疑似ディスクカートリッジ体のイジェクト動作が行われ、フレキシブルディスク装置からの取り外しが行われる。
【００１５】
また、上述した目的を達成する本発明にかかるフレキシブルディスク装置の不正使用防止装置は、ケース体と、鍵体と、連結プレートと、疑似ディスクカートリッジ体と、第１ロックプレートと、第２ロックプレートと、弾性部材とを備える。不正使用防止装置は、フレキシブルディスク装置に対してディスク挿脱口を閉塞するようにして取り付けられ、キーによる施錠操作が行われることによって取付状態が保持されるとともにキーによる解錠操作が行われることによって取り外されてディスク挿脱口を開放することにより、第三者による不正使用を防止する。
【００１６】
ケース体は、例えば薄箱状に形成されており、前面部を操作部とするとともに背面部が開口されてガイド開口部が構成される。鍵体は、ケース体の前面部に鍵本体部が取り付けられるとともにこの鍵本体部にスライド自在に組み込んだ駆動ロッドがケース体の内部に突出されており、鍵穴にキーを差し込んで施錠操作を行うことによって駆動ロッドがケース体の内部に大きく突出する。
【００１７】
連結プレートは、全体が薄板状に形成され、基端側をケース体内に固定されるとともに、ガイド開口部を介して突出された先端側が疑似ディスクカートリッジ体の取付部として構成される。疑似ディスクカートリッジ体は、正規のディスクカートリッジとほぼ等しい外形を有するとともにフレキシブルディスク装置側の記録再生部に設けられたディスク保持手段によって保持される保持構造を有しており、ディスク挿脱口から装填されて記録再生部に保持される。
【００１８】
第１ロックプレートは、ケース体の内部にスライド自在に収納され、基端側に駆動ロッドとの連結部が設けられるとともに、ガイド開口部から突出する先端側がディスク挿脱口から嵌挿される。第２ロックプレートは、第１ロックプレート上に、カム手段を介して一体若しくは独立してスライド動作が自在とされて重ね合わされてケース体の内部に収納される。第１ロックプレートと第２ロックプレートとは、全体としてディスク挿脱口の開口高さよりも大きな厚みとするプレート体を構成する。プレート体は、第２ロックプレートが、先端部位をディスク挿脱口の開口高さよりも小さい厚みとするように薄厚とされるとともに先端縁から基端部に向かって次第に厚みを大きくするロックテーパ部を形成する。弾性部材は、第２ロックプレートに対してガイド開口部から突出する方向に弾性力を作用させる。
【００１９】
以上のように構成されるフレキシブルディスク装置の不正使用防止装置においては、フレキシブルディスク装置に対して、疑似ディスクカートリッジ体をディスク挿脱口から内部へと嵌挿するようにして組み付けられる。不正使用防止装置においては、疑似ディスクカートリッジ体のローディング操作が行われて記録再生部へと装填され、この記録再生部内でディスク保持手段によって保持される。不正使用防止装置においては、フレキシブルディスク装置に設けられたイジェクト手段を駆動するイジェクト操作が行われることによって、記録再生部に保持された疑似ディスクカートリッジ体の保持状態が解除されてフレキシブルディスク装置からの取り外しが行われる。
【００２０】
不正使用防止装置においては、疑似ディスクカートリッジ体を記録再生部に装填した状態でキーの施錠操作が行われて鍵体が施錠状態となる。不正使用防止装置においては、キーの施錠操作に伴ってスライド動作する駆動ロッドが第１ロックプレートをディスク挿脱口側へと押圧する。不正使用防止装置においては、カム手段を介して第１ロックプレートと第２ロックプレートとが一体となってスライド動作し、ディスク挿脱口において第１ロックプレートがそのまま内部へと嵌挿するとともに第２ロックプレートのロックテーパ部が所定の長さ位置まで内部に嵌挿された後に開口縁に突き当たって嵌合した状態となる。不正使用防止装置においては、第２ロックプレートが弾性部材によってディスク挿脱口内に押圧され、嵌合状態が保持される。不正使用防止装置においては、第１ロックプレートに対してカム手段を介して第２ロックプレートが一体若しくは独立してスライド動作するように組み合わせたことによって、ディスク挿脱口の開口仕様を異にするフレキシブルディスク装置に対しても互換使用することが可能とされる。
【００２１】
不正使用防止装置においては、鍵体からキーが抜き取られることによって第１ロックプレートと第２ロックプレートとがディスク挿脱口内に嵌合された状態に保持され、キーを用いて解錠操作を行わない限りフレキシブルディスク装置の使用を禁止する。不正使用防止装置においては、第三者が不正使用を目的としてケース体を把持してディスク挿脱口からの抜取り操作を行った場合でも、記録再生部に装填された疑似ディスクカートリッジ体が例えばシャーシに突き当たって抜取り操作を不能とさせる。また、不正使用防止装置においては、フレキシブルディスク装置のイジェクト操作が行われた場合に、第１ロックプレートと第２ロックプレートとがディスク挿脱口内に嵌合されていて移動動作を行うことができないことから記録再生部からの疑似ディスクカートリッジ体のイジェクト動作を不能とさせる。
【００２２】
不正使用防止装置においては、鍵体にキーを差し込んで解錠操作を行うことによって駆動ロッドが初期位置へと復帰することで、カム手段を介して第１ロックプレートと第２ロックプレートとが一体となってスライド動作してディスク挿脱口から抜け出る。不正使用防止装置においては、この状態でフレキシブルディスク装置のイジェクト操作が行われることによって記録再生部からの疑似ディスクカートリッジ体のイジェクト動作が行われ、フレキシブルディスク装置からの取り外しが行われる。
【発明の効果】
【００２３】
本発明かかるフレキシブルディスク装置の不正使用防止装置によれば、フレキシブルディスク装置に組み付けられて鍵体の施錠操作を行うことによってフレキシブルディスク装置を使用不能の状態とするとともに、正規のキーを用いて鍵体の解錠操作を行うことによってフレキシブルディスク装置からの取り外しを可能とする。したがって、フレキシブルディスク装置の不正使用防止装置によれば、フレキシブルディスク装置を不正に起動してパーソナルコンピュータに内蔵されたハードディスクにアクセスして記憶されたデータをコピーするといった不正操作を防止する。
【発明を実施するための最良の形態】
【００２４】
以下、本発明の実施の形態として図面に示した不正使用防止装置２０について、詳細に説明する。不正使用防止装置２０は、もっぱらパーソナルコンピュータ１に内蔵されてＦＤカートリッジ２が挿脱されるＦＤ装置（ＦＤドライバーユニット）３に組み付けられて第三者による不正使用を防止するが、かかる使用例に限定されるものでは無く一般的なＦＤ装置３にも使用されることは勿論である。なお、本明細書においては、図１を基準として上下・左右を定義するとともに手前側を前方、奥行き側を後方と定義する。
【００２５】
不正使用防止装置２０は、図１乃至図３に示すようにＦＤ装置３に組み付けられ、後述するようにキー２３を使用して施錠操作を行うことによって図２に示すようにＦＤ装置３に組み付けた状態を保持され、このＦＤ装置３を使用不能状態とさせる。不正使用防止装置２０は、キー２３を使用して解錠操作を行うことによってＦＤ装置３から取り外すことが可能とされ、このＦＤ装置３を使用可能な状態とさせる。
【００２６】
パーソナルコンピュータ１は、周知のように内部に大量のデータ等を記憶することが可能なハードディスクを備えるとともに、外部記憶装置として例えばＦＤカートリッジ２やコンパクトディスク等の各種光ディスクを装填して使用される。パーソナルコンピュータ１は、筐体４の前面部４ａに、ＦＤカートリッジ２を挿脱するＦＤ挿脱口（ディスク挿脱口）５やコンパクトディスクを挿脱するＣＤ挿脱口６が設けられている。また、パーソナルコンピュータ１は、筐体４の前面部４ａに、電源ボタン７やＦＤ装置３に装填したＦＤカートリッジ２を取り出す際に操作されるＦＤイジェクトボタン８或いはコンパクトディスクを取り出すイジェクトボタン９が設けられている。
【００２７】
ＦＤ装置３は、詳細を省略するが図３に示すようにＦＤ挿脱口５に連通するローディング空間部１０が構成されるとともに、このローディング空間部１０の下方に位置して記録再生部１１が構成されている。ＦＤ装置３は、記録再生部１１にスピンドルハブ１２を設けたスピンドル軸１３を有するＦＤ駆動機構１４を備えるとともに、ローディング空間部１０の上方に位置して磁気ヘッド１５を有する磁気ヘッド機構１６が備えられる。
【００２８】
ＦＤ装置３は、ＦＤ挿脱口５から嵌挿されたＦＤカートリッジ２をローディング機構によってローディング空間部１０内をローディングして内部へと取り込む。ＦＤ装置３は、ＦＤカートリッジ２を全て取り込んだ位置において、このＦＤカートリッジ２をローディング空間部１０から記録再生部１１へと落とし込んで収納したＦＤのハブ１７をスピンドルハブ１２上にチャッキングして保持する。ＦＤ装置３は、ＦＤカートリッジ２を記録再生部１１に保持した状態で、図３に示すようにこのＦＤカートリッジ２がＦＤ挿脱口５の開口縁５ａから下がった高さ位置とする。
【００２９】
ＦＤ装置３は、パーソナルコンピュータ１側でＦＤに対する記録操作或いは再生操作が行われることによって、磁気ヘッド機構１６が記録再生部１１内へと降下して磁気ヘッド１５がＦＤの記録面上に接触する。ＦＤ装置３は、スピンドル軸１３の回転動作によりＦＤが回転して磁気ヘッド１５によりデータ等の記録処理或いは記録されたデータ等の再生処理が行われる。
【００３０】
ＦＤ装置３は、停止状態でＦＤイジェクトボタン８を押圧操作すると図示しないイジェクト機構が動作されてＦＤカートリッジ２をＦＤ挿脱口５から突き出させるイジェクト動作を行う。イジェクト機構は、記録再生部１１に保持されたＦＤカートリッジ２をローディング空間部１０に押し上げるとともに、このローディング空間部１０において押圧することでＦＤカートリッジ２の端部をＦＤ挿脱口５から突き出させて取り出し操作を可能とさせる。
【００３１】
ＦＤ装置３は、不正使用防止装置２０が組み付けられることによって、ＦＤ挿脱口５からのＦＤカートリッジ２の嵌挿操作が不能とさせ、第三者がパーソナルコンピュータ１のハードディスクにアクセスして記憶されたデータをコピーするといった不正操作を防止する。なお、ＦＤカートリッジ２は、周知のように詳細には図３に示すようにＦＤをケース１８内に収納し、ＦＤ装置３内に装填されることによってケース１８に開閉自在に設けたシャッタの開放動作が行われてデータ等の記録再生処理が行われるようにする。
【００３２】
不正使用防止装置２０は、ケース体２１と緩衝カバー２２及びキー２３により施錠・解錠操作される鍵体２４とにより本体部位を構成する、不正使用防止装置２０は、ケース体２１から突出されてＦＤ装置３内に装填される疑似ディスクカートリッジ体２５と、この疑似ディスクカートリッジ体２５をケース体２１に固定する連結プレート２６とを備えている。不正使用防止装置２０は、第１ロックプレート２７と第２ロックプレート２８及びバネ部材２９とによってロック部を構成する。
【００３３】
ケース体２１は、図４に示すように合成樹脂製のアッパハーフ３０とロアハーフ３１とを組み合わせて全体略薄箱状に構成される。ケース体２１は、内部にＦＤ挿脱口５の開口高さ寸法よりもやや大きな高さを有する空間部を構成する。ケース体２１は、背面側を開放してガイド開口部３２を構成するとともに、アッパケース３０とロアケース３１の前面部に形成した半円形の貫通穴を組み合わせて鍵体２４を組み付ける鍵体組付穴３３が設けられている。ケース体２１は、背面部を除く全体を発泡ウレタン等の弾性材によって形成した緩衝カバー２２によって包み込まれることによって保護される。
【００３４】
ケース体２１には、鍵体組付穴３３を閉塞するようにして前面部に鍵体２４を組み付けた鍵体ブロック体３４が固定される。鍵体ブロック体３４は、合成樹脂材によって全体矩形ブロック状に形成されており、鍵体組付穴３３と連通する組付穴が形成されて鍵体２４を抜け止めして組み付ける。なお、鍵体ブロック体３４については、アッパハーフ３０とロアハーフ３１の前面部に一体に形成するようにしてよいことは勿論である。
【００３５】
鍵体２４は、例えば従来周知のシリンダ錠が用いられ、円筒状の鍵本体部３５が上述した鍵体ブロック体３４の組付穴に固定されるとともにその後端部が鍵体組付穴３３を貫通してケース体２１の内部に臨ませられる。鍵体２４には、筐体２１の前面に露出する鍵本体部３５の前面部にキー２３が差し込まれる鍵穴３６が設けられている。鍵体２４には、図示しないが鍵本体部３５の内部に鍵穴３６から所定のキー２３が差し込まれた場合にのみ回転されるキーシリンダを有している。
【００３６】
鍵体２４には、キーシリンダによって鍵本体部３５の内部をスライド動作する駆動ロッド３７が設けられており、この駆動ロッド３７の先端部が鍵本体部３５の背面部から外方へと突出されている。鍵体２４は、鍵穴３６に所定のキー２３を差し込んで施錠方向に回転する操作を行うことによって鍵本体部３５から駆動ロッド３６がさらに突出する方向にスライド動作する。鍵体２４は、鍵穴３６に差し込んだ所定のキー２３を解錠方向に回転する操作を行うことによって、突出していた駆動ロッド３７が鍵本体部３５内に収納される方向へとスライド動作する。
【００３７】
なお、鍵体２４は、シリンダ錠に限定されず、キー２３を用いて駆動ロッド３７をスライド動作させる構造を有する適宜の鍵体を用いることが可能である。また、鍵体２４は、キー２３により駆動ロッド３７を直接スライド動作させる鍵体である必要はなく、例えば駆動ロッド３７のスライド動作を規制する鍵体であってもよい。駆動ロッド３７は、この場合に、例えばケース体２１の前面部に設けられ鍵体２４の解錠状態において操作が可能とされるレバー等によってスライド操作されるようにする。
【００３８】
ケース体２１には、図４に示すように例えばアッパハーフ３０の内面に連結プレート２６の一端部が固定される。連結プレート２６は、金属薄板や合成樹脂材によって薄厚に形成され、ガイド開口部３２の開口幅とほぼ等しい幅を有するとともにケース体２１の奥行よりも長尺に形成される。連結プレート２６は、後述するように上面上に第１ロックプレート２７をスライド動作させることから、少なくともこの上面が平滑面として形成されている。連結プレート２６は、自由端側がガイド開口部３２から大きく突出され、その底面に疑似ディスクカートリッジ体２５を固定する。
【００３９】
疑似ディスクカートリッジ体２５は、例えば合成樹脂材によってＦＤカートリッジ２とほぼ同等の外形寸法及び厚み寸法を有する全体矩形のプレート体に形成される。疑似ディスクカートリッジ体２５には、略中央部に位置してＦＤに設けられるハブ１７と同等のハブ３８（図１参照）が設けられている。疑似ディスクカートリッジ体２５は、前端縁２５ａがケース体２１の背面部に対して、上述したＦＤ挿脱口５を形成したパーソナルコンピュータ１の筐体前面部４ａの厚みよりもやや大きな間隔に設定されて連結プレート２６に固定される。
【００４０】
疑似ディスクカートリッジ体２５は、後述するようにＦＤ挿脱口５からＦＤ装置３に装填される部材であり、ＦＤカートリッジ２と同様にローディング機構によってローディング空間部１０内をローディングされて内部に取り込まれ、ローディング空間部１０から記録再生部１１へと落とし込まれる。疑似ディスクカートリッジ体２５は、記録再生部１１においてハブ３８がスピンドルハブ１２上にチャッキングされることにより保持される。なお、疑似ディスクカートリッジ体２５は、ハブ３８を特に必須とすることは無く、スピンドルハブ１２を上方へと貫通させる開口部を設けてもよい。
【００４１】
不正使用防止装置２０においては、疑似ディスクカートリッジ体２５と連結プレート２６とを別部材によって構成したが、例えば疑似ディスクカートリッジ体２５の一方ハーフからケース体２１の内部空間に引き込んで固定する連結部を一体に形成するようにしてもよい。また、不正使用防止装置２０は、疑似ディスクカートリッジ体２５の一方ハーフとケース体２１の一方ハーフとを、ＦＤ挿脱口５の開口幅とほぼ同等の幅を有しかつ薄肉とすることによって可撓性を付与した連結部を介して一体に形成するようにしてもよい。
【００４２】
不正使用防止装置２０は、第１ロックプレート２７と第２ロックプレート２８とにより構成するロック部によって記録再生部１１内に保持された疑似ディスクカートリッジ体２５のイジェクト操作を不能とする。不正使用防止装置２０は、後述するように第１ロックプレート２７と第２ロックプレート２８とが上述した連結プレート２６上に重なり合わされてケース体２１内に収納されるが、全体としてＦＤ挿脱口５の開口高さよりも大きな厚みのプレート体を構成する。
【００４３】
第１ロックプレート２７は、合成樹脂材や金属薄板によりケース体２１の内部空間とほぼ同幅とされるとともにやや大きな奥行き寸法を有するプレート体からなる。第１ロックプレート２７は、図４に示すように後端部２７ａをガイド開口部３２からやや突出させた状態で、上述したように連結プレート２６の上面に前後方向に対してスライド自在に重ね合わされる。第１ロックプレート２７は、後端部２７ａがガイド開口部３２から所定量を突出された状態で、図示しない抜け止め構造によりケース体２１の内部からの脱落を防止されている。
【００４４】
第１ロックプレート２７には、図５に示すように主面上に、第２ロックプレート２８を一体的にスライド動作させるカム手段を構成するカムピン３９が突設されている。第１ロックプレート２７には、ケース体２１内に収納された状態で上述した鍵穴組付穴３３の軸線上に位置する前端部の近傍に係合部４０が形成されている。係合部４０は、例えば円弧状の凹溝からなり、ケース体２１に取り付けられた鍵体２４の駆動ロッド３７の先端部が相対係合する。
【００４５】
第１ロックプレート２７には、前端部の近傍に位置してバネ部材２９の一端部を取り付けるバネ取付穴４１が形成されている。第１ロックプレート２７は、係合部４０とバネ取付穴４１とを第２ロックプレート２８が重ね合わされない領域に位置して形成する。なお、第１ロックプレート２７は、駆動ロッド３７がキー２３の操作によって回転しながらスライド動作することで上述したように円弧状の凹溝を形成したが、回転しない駆動ロッド３７であればかかる凹溝とする必要は無い。第１ロックプレート２７は、駆動ロッド３７と一体化されてもよい。
【００４６】
第２ロックプレート２８は、合成樹脂材や金属薄板により、第１ロックプレート２７とほぼ同幅であり奥行き寸法が小さなプレート体からなる。第２ロックプレート２８には、後端縁２８ａから前方側に向かって幅方向の全域に亘って次第に厚みを大きくするテーパを付したロックテーパ部４２が形成されるとともに、上述した第１ロックプレート２７側のカムピン３９が相対係合する前後方向の長穴からなるカム溝４３が形成されている。
【００４７】
第２ロックプレート２８は、上述したように第１ロックプレート２７と連結プレート２６とともに積層体を構成し、この積層体が全体としてＦＤ挿脱口５の高さ寸法よりも大きな厚みとなるプレート体を構成する。第２ロックプレート２８は、この積層体の厚みが後端縁２８ａにおいてＦＤ挿脱口５の高さ寸法よりも小さい厚みとする高さのロックテーパ部４２を形成する。したがって、ロックテーパ部４２は、積層体の厚みを後端縁２８ａから前方側に向かって次第に大きくする。
【００４８】
第２ロックプレート２８は、第１ロックプレート２７の主面上にカムピン３９をカム溝４３に嵌挿させて重ね合わされ、カム溝４３の長さ範囲で第１ロックプレート２７に対してスライド動作が可能である。第２ロックプレート２８は、カムピン３９がカム溝４３の前方内壁４３ａに突き当たった状態において、先端部位２８ａが第１ロックプレート２７の前端縁２７ａと同一面を構成する。第２ロックプレート２８は、前端縁２８ｂをバネ部材２９によって押圧される。
【００４９】
バネ部材２９は、例えば弾性線材によって形成され、一端部２９ａをバネ取付穴４１に嵌合されて第１ロックプレート２７に取り付けられる。バネ部材２９は、途中部位が円弧状に湾曲されるとともに、先端部２９ｂが第２ロックプレート２８の前端縁２８ｂの略中央部に押し当てられることでこの第２ロックプレート２８を後方側へと付勢する。なお、バネ部材２９は、例えば第１ロックプレート２７を合成樹脂材によって成形した場合には、この第１ロックプレート２７に一体に形成するようにしてもよく、また幅方向に沿って複数個を形成して第２ロックプレート２８を押圧するようにしてもよい。
【００５０】
第１ロックプレート２７と第２ロックプレート２８は、バネ部材２９によって第２ロックプレート２８が後方側へと付勢されることで、カムピン３９がカム溝４３の前方内壁４３ａに突き当り、それぞれの前端縁２７ａ、２８ａが互いに同一面を構成する。第１ロックプレート２７と第２ロックプレート２８は、駆動ロッド３７によって第１ロックプレート２７が後方側へと押圧されると、上述したカムピン３９とカム溝４３との係合構造により一体にスライド動作する。第１ロックプレート２７と第２ロックプレート２８は、後述するようにＦＤ挿脱口５においてその開口縁５ａにロックテーパ部４２が突き当たることにより、カムピン３９がカム溝４３内を移動することで第１ロックプレート２７のみが独立してスライド動作する。
【００５１】
以上のように構成された不正使用防止装置２０は、パーソナルコンピュータ１からＦＤカートリッジ２を取り外した状態で、図１矢印で示すように疑似ディスクカートリッジ体２５をＦＤ挿脱口５から内部へと嵌挿して組み付けられる。不正使用防止装置２０は、疑似ディスクカートリッジ体２５がローディング機構によってローディング空間部１０内をローディングされて記録再生部１１へと落とし込まれる。不正使用防止装置２０は、この疑似ディスクカートリッジ体２５の移動動作によって、第１ロックプレート２７と第２ロックプレート２８との積層体がＦＤ挿脱口５と対向する。
【００５２】
不正使用防止装置２０は、図６に示すように記録再生部１１において疑似ディスクカートリッジ体２５がハブ３８をスピンドルハブ１２上にチャッキングされて保持される。不正使用防止装置２０においては、疑似ディスクカートリッジ体２５がローディング空間部１０から段落ちした記録再生部に１１に保持されることにより、そのまま引き抜こうとしても疑似ディスクカートリッジ体２５の前端縁２５ａがＦＤ挿脱口５の開口縁５ａに突き当たって取り出しが不能とされる。
【００５３】
不正使用防止装置２０は、図６に示すように連結プレート２６が開口縁５ａに沿ってＦＤ挿脱口５を貫通し、筐体４の前面部４ａにケース体２１の背面部が突き当てられた状態とさせる。不正使用防止装置２０は、ケース体２１のガイド開口部３２から第１ロックプレート２７と第２ロックプレート２８とがそれぞれの後端部２７ａ、２８ａを外方に臨ませられてＦＤ挿脱口５と対向した状態にある。不正使用防止装置２０は、この状態でＦＤイジェクトボタン８が操作されると、疑似ディスクカートリッジ体２５がイジェクト機構によって記録再生部１１からローディング空間部１０へと押し上げられるとともにＦＤ挿脱口５側へと突き出されることにより、ＦＤ挿脱口５からの取り外し操作が可能である。
【００５４】
不正使用防止装置２０は、疑似ディスクカートリッジ体２５を記録再生部１１に装填した状態で、図７に示すようにキー２３による施錠操作が行われる。不正使用防止装置２０は、キー２３の施錠操作によって同図矢印で示すように鍵体２４の駆動ロッド３７が鍵本体部３５から突出する方向にスライド動作し、この駆動ロッド３７が係合部４０において連結された第１ロックプレート２７をＦＤ挿脱口５側へと押圧する。不正使用防止装置２０は、第１ロックプレート２７が連結プレート２６の主面上をスライド動作し、その後端部２７ａ側からＦＤ挿脱口５内へと次第に嵌挿していく。
【００５５】
不正使用防止装置２０は、カム溝４３にカムピン３９が嵌合して第１ロックプレート２７と一体化された第２ロックプレート２８も後端部２８ａ側に形成したロックテーパ部４２が次第にＦＤ挿脱口５内へと嵌挿していく。不正使用防止装置２０は、ロックテーパ部４２がＦＤ挿脱口５内に所定の長さ位置まで嵌挿されると全体の厚みがＦＤ挿脱口５の高さよりも大きくなり、図７に示すようにロックテーパ部４２のテーパ面が開口縁５ａに突き当たる。
【００５６】
不正使用防止装置２０は、第２ロックプレート２８が停止されるが、第１ロックプレート２７がカム溝４３の長さ範囲でさらにＦＤ挿脱口５内に深く嵌挿される。不正使用防止装置２０は、第２ロックプレート２８の停止位置から第１ロックプレート２７がさらにスライド動作することによってバネ部材２９に弾性力が蓄勢され、第２ロックプレート２８をＦＤ挿脱口５側へと付勢してロックテーパ部４２の先端部がＦＤ挿脱口５内に嵌合した状態を保持する。
【００５７】
不正使用防止装置２０は、第２ロックプレート２８にロックテーパ部４２を形成したことによって、キー２３の施錠操作に伴って第２ロックプレート２８の後端部位が開口縁５ａに引っ掛かることなくＦＤ挿脱口５から内部にスムーズに嵌挿されるようになる。不正使用防止装置２０は、ロックテーパ部４２がテーパ面のある箇所でＦＤ挿脱口５の開口縁５ａに突き当たって第２ロックプレート２８を停止させることから、高さ寸法を異にするＦＤ挿脱口５を有する複数のＦＤ装置３に対しても互換使用することが可能である。
【００５８】
不正使用防止装置２０は、鍵体２４からキー２３が抜き取られることによって、ＦＤ挿脱口５を貫通する連結プレート２６と、ＦＤ挿脱口５内に嵌合する第１ロックプレート２７と第２ロックプレート２８とによってこのＦＤ挿脱口５を閉塞した状態とする。不正使用防止装置２０は、第三者が不正使用を目的としてケース体２１を把持してＦＤ挿脱口５から無理に抜取り操作を行った場合でも、記録再生部１１に保持された疑似ディスクカートリッジ体２５がＦＤ装置３の内部でシャーシに突き当たったり前面部４ａで係止されることによって抜取り操作を不能とさせる。不正使用防止装置２０は、大きな領域で疑似ディスクカートリッジ体２５を係止することでＦＤ装置３に部分的な過大荷重の負荷を抑制して各部に損傷を発生させることを防止しかつ強固なロックが行われるようにする。
【００５９】
不正使用防止装置２０は、第三者が不正使用を目的としてＦＤイジェクトボタン８を操作してＦＤ挿脱口５から取り外そうとしても、取り外しを不能とさせる。すなわち、不正使用防止装置２０は、ＦＤイジェクトボタン８の操作によってイジェクト機構が記録再生部１１から疑似ディスクカートリッジ体２５をローディング空間部１０へと押し上げようとしても、ＦＤ挿脱口５内において第１ロックプレート２７と第２ロックプレート２８が移動されないことから、疑似ディスクカートリッジ体２５のイジェクト動作を不能とさせる。不正使用防止装置２０は、不正なイジェクト操作が行われても第１ロックプレート２７と第２ロックプレート２８とがＦＤ挿脱口５に対して大きな力を及ぼすことはなく、各部に損傷を発生させることを防止しかつ強固なロックが行われるようにする。
【００６０】
不正使用防止装置２０は、鍵穴３６に正規のキー２３を差し込んで解錠操作を行うことによって、ＦＤ挿脱口５からの取り外しが可能となる。不正使用防止装置２０は、キー２３の解錠操作によって、鍵体２４の駆動ロッド３７が鍵本体部３５へと収納される方向へとスライド動作する。不正使用防止装置２０は、駆動ロッド３７が係合部４０を介して連結された第１ロックプレート２７をＦＤ挿脱口５内から外方へと引き出させる。
【００６１】
不正使用防止装置２０は、第１ロックプレート２７が連結プレート２６の主面上を外方に向かってスライド動作するとともに、この第１ロックプレート２７とともに第２ロックプレート２８も一体となってＦＤ挿脱口５から抜け出る。不正使用防止装置２０は、上述したＦＤイジェクトボタン８によるイジェクト機構の動作が可能な状態となり、疑似ディスクカートリッジ体２５が記録再生部１１からローディング空間部１０を介してＦＤ挿脱口５から取り出されることで、ＦＤ装置３からの取り外しが行われる。
【００６２】
不正使用防止装置２０は、上述したようにＦＤ挿脱口５に組み付けられてキー２３による施錠操作が行われることによってＦＤ装置３を使用不能な状態とする。したがって、不正使用防止装置２０は、パーソナルコンピュータ１を起動してＦＤ装置３からハードディスクへのアクセスを行うといった不正操作を防止する。
【００６３】
第２の実施の形態として図８乃至図１３に示した不正使用防止装置５０は、基本的な構成を上述した不正使用防止装置２０と同様とするが、部品点数が削減されてより簡易化された構成に特徴がある。不正使用防止装置５０の以下の説明において、不正使用防止装置２０と同等の部位については同一符号を付すことによって説明を省略する。不正使用防止装置５０は、ケース体５１とキー５２により施錠・解錠操作される鍵体５３とにより本体部位を構成する。不正使用防止装置５０も、ケース体５１から突出されてＦＤ装置３内に装填される疑似ディスクカートリッジ体５４と、この疑似ディスクカートリッジ体５４をケース体５１に固定する連結プレート５５とを備えている。不正使用防止装置５０は、ロック部が１個のロックプレート５６のみによって構成される。
【００６４】
ケース体５１も、図８に示すように合成樹脂製のアッパハーフとロアハーフとを組み合わせて全体略薄箱状に構成される。ケース体５１は、内部にＦＤ挿脱口５の開口高さ寸法よりもやや大きな高さを有する空間部を構成する。ケース体５１は、背面側を開放してガイド開口部５７を構成するとともに、アッパケースとロアケースとに形成した前後方向の半円筒形の膨出部が組み合わされて鍵体５３を組み付ける円筒形状の鍵体組付部５８が構成される。
【００６５】
ケース体５１には、鍵体組付部５８内に、抜け止めされるとともに後端部を内部空間に臨ませて鍵体５３が組み付けられる。鍵体５３も、鍵体組付部５８の前面に露出する鍵本体部の前面部にキー５２が差し込まれる鍵穴５９が設けられている。鍵体５３には、図示しないが鍵本体部の内部に鍵穴５９から所定のキー５２が差し込まれた場合にのみ回転されるキーシリンダを有している。
【００６６】
鍵体５３には、キーシリンダによって鍵本体部の内部をスライド動作する駆動ロッド６０が設けられており、この駆動ロッド６０の先端部が鍵本体部の背面部から外方へと突出されている。鍵体５３は、鍵穴５９に所定のキー５２を差し込んで施錠方向に回転する操作を行うことによって鍵本体部から駆動ロッド６０がさらに突出する方向にスライド動作する。鍵体５３は、鍵穴５９に差し込んだ所定のキー５２を解錠方向に回転する操作を行うことによって、突出していた駆動ロッド６０が鍵本体部内に収納される方向へとスライド動作する。
【００６７】
ケース体５１は、図８及び図９に示すように鍵体組付部５８に隣り合った部位が枠状とされて手掛け開口部６１が形成されている。手掛け開口部６１は、不正使用防止装置５０をパーソナルコンピュータ１のＦＤ挿脱口５から取り外す際に把持される部位を構成して操作性の向上状が図られるようにする。手掛け開口部６１は、不正使用防止装置５０を持ち運びする際にも把持部として利用される。
【００６８】
ケース体５１にも、図１０に示すように例えばアッパハーフの内面に連結プレート５５の一端部が固定される。連結プレート５５は、金属薄板や合成樹脂材によって薄厚に形成され、ガイド開口部５７の開口幅とほぼ等しい幅を有するとともにケース体５１の奥行よりも長尺に形成される。連結プレート５５は、後述するように上面上にロックプレート５６をスライド動作させることから、少なくともこの上面が平滑面として形成されている。連結プレート５５は、自由端側がガイド開口部５７から大きく突出され、その底面に疑似ディスクカートリッジ体５４を固定する。
【００６９】
疑似ディスクカートリッジ体５４は、例えば合成樹脂材によってＦＤカートリッジ２とほぼ同等の外形寸法及び厚み寸法を有する全体矩形のカートリッジ体に形成される。疑似ディスクカートリッジ体５４には、図８及び図９に示すように略中央部に位置して開口部６２が形成されており、この開口部６２からＦＤに設けられるハブと同等のハブ６３を外方に臨ませる。疑似ディスクカートリッジ体５４は、前端縁５４ａがケース体５１の背面部に対して、上述したＦＤ挿脱口５を形成したパーソナルコンピュータ１の筐体前面部４ａの厚みよりもやや大きな間隔に設定されて連結プレート５５に固定される。
【００７０】
疑似ディスクカートリッジ体５４は、後述するようにＦＤ挿脱口５からＦＤ装置３内に装填される部材であり、ＦＤカートリッジ２と同様にローディング機構によってローディング空間部１０内をローディングされて内部に取り込まれ、ローディング空間部１０から記録再生部１１へと落とし込まれる。疑似ディスクカートリッジ体５４は、記録再生部１１においてハブ６３がスピンドルハブ１２上にチャッキングされることによって保持される。なお、疑似ディスクカートリッジ体５４は、ハブ６３を特に必須とすることは無く、スピンドルハブ１２を上方へと貫通させる開口部を設けてもよい。
【００７１】
不正使用防止装置５０においては、疑似ディスクカートリッジ体５４と連結プレート５５とを別部材によって構成したが、例えば疑似ディスクカートリッジ体５４の一方ハーフからケース体５１の内部空間に引き込んで固定する連結部を一体に形成するようにしてもよい。また、不正使用防止装置５０は、疑似ディスクカートリッジ体５４の一方ハーフとケース体５１の一方ハーフとを、ＦＤ挿脱口５の開口幅とほぼ同等の幅を有しかつ薄肉とすることによって可撓性を付与した連結部を介して一体に形成するようにしてもよい。
【００７２】
不正使用防止装置５０は、ロックプレート５６によって記録再生部１１内に保持された疑似ディスクカートリッジ体５４のイジェクト操作を不能とする。不正使用防止装置５０は、ロックプレート５６が上述した連結プレート５５上に重なり合わされてケース体５１内に収納されるが、全体としてＦＤ挿脱口５の開口高さと同等若しくはやや大きな厚みのプレート体を構成する。
【００７３】
ロックプレート５６は、合成樹脂材や金属薄板によりケース体５１の内部空間とほぼ同幅とされるとともにやや大きな奥行き寸法を有するプレート体からなる。ロックプレート５６は、図１０に示すように後端部５６ａをガイド開口部５７からやや突出され、図示しない抜け止め構造によりケース体５１の内部からの脱落を防止されて収納されている。ロックプレート５６は、上述したように連結プレート５５の上面に前後方向に対してスライド自在に重ね合わされる。
【００７４】
ロックプレート５６には、鍵体５３の駆動ロッド６０の先端部が相対係合する係合凹溝６４が形成されている。係合凹溝６４は、ロックプレート５６がケース体５１内に収納された状態で上述した鍵穴組付部５８の軸線上に位置して形成されており、底部を円弧状とした凹溝によって構成される。なお、ロックプレート５６は、駆動ロッド６０がキー５２の操作によって回転しながらスライド動作することから、上述した構造の係合凹溝６４を形成したが、回転しない駆動ロッド６０であればかかる凹溝とする必要は無い。ロックプレート５６は、例えば駆動ロッド６０と一体化されてもよい。
【００７５】
ロックプレート５６には、図１０及び図１１に示すように後端縁５６ａから前方側に向かって幅方向の全域に亘って次第に厚みを大きくするテーパを付したロックテーパ部６５が形成されている。ロックプレート６５は、上述したように連結プレート５５に重ね合わされてＦＤ挿脱口５の高さ寸法よりも大きな厚みのプレート体を構成するが、ロックテーパ部６５によって後端縁６５ａにおいてＦＤ挿脱口５の高さ寸法よりも小さい厚みとなっている。
【００７６】
以上のように構成された不正使用防止装置５０も、パーソナルコンピュータ１からＦＤカートリッジ２を取り外した状態で、疑似ディスクカートリッジ体５４をＦＤ挿脱口５から内部へと嵌挿して組み付けられる。不正使用防止装置５０は、疑似ディスクカートリッジ体５４がローディング機構によってローディング空間部１０内をローディングされて記録再生部１１へと落とし込まれる。不正使用防止装置５０は、この状態でロックプレート５６がＦＤ挿脱口５と対向する位置に移動する。
【００７７】
不正使用防止装置５０は、図１２に示すように記録再生部１１内において疑似ディスクカートリッジ体５４がハブ６３をスピンドルハブ１２上にチャッキングされて保持される。不正使用防止装置５０においては、疑似ディスクカートリッジ体５４がローディング空間部１０から段落ちした記録再生部に１１に保持されることにより、そのまま引き抜こうとしても疑似ディスクカートリッジ体５４の前端縁５４ａがＦＤ挿脱口５の開口縁５ａに突き当たって取り出しが不能とされる。
【００７８】
不正使用防止装置５０は、図１２に示すように連結プレート５５が開口縁５ａに沿ってＦＤ挿脱口５を貫通し、筐体４の前面部４ａにケース体５１の背面部が突き当てられた状態とさせる。不正使用防止装置５０は、ロックプレート５６がその後端部５６ａをケース体５１のガイド開口部５７から外方に臨ませられてＦＤ挿脱口５と対向した状態にある。不正使用防止装置５０は、この状態でＦＤイジェクトボタン８が操作されると、疑似ディスクカートリッジ体５４がイジェクト機構によって記録再生部１１からローディング空間部１０へと押し上げられるとともにＦＤ挿脱口５側へと突き出されることにより、ＦＤ挿脱口５からの取り外し操作が可能である。
【００７９】
不正使用防止装置５０は、疑似ディスクカートリッジ体５４を記録再生部１１に装填した状態で、図１３に示すようにキー５２による施錠操作が行われる。不正使用防止装置５０は、キー５２の施錠操作によって同図矢印で示すように鍵体５３の駆動ロッド６０が鍵本体部から突出する方向にスライド動作し、この駆動ロッド６０が係合凹溝６４において連結されたロックプレート５６をＦＤ挿脱口５側へと押圧する。不正使用防止装置５０は、ロックプレート５６が連結プレート５５の主面上をスライド動作し、その後端部５６ａ側からＦＤ挿脱口５内へと次第に嵌挿していく。
【００８０】
不正使用防止装置５０は、ロックプレート５６が、そのロックテーパ部６５をＦＤ挿脱口５内に所定の長さ位置まで嵌挿されると全体の厚みがＦＤ挿脱口５の高さよりも大きくなり、図１３に示すようにロックテーパ部６５のテーパ面が開口縁５ａに突き当たる。
【００８１】
不正使用防止装置５０は、ロックプレート５６にロックテーパ部６５を形成したことによって、キー５２の施錠操作に伴って後端部５６ａが開口縁５ａに引っ掛かることなくＦＤ挿脱口５から内部にスムーズに嵌挿されるようになる。不正使用防止装置５０は、ロックテーパ部４２がテーパ面のある箇所でＦＤ挿脱口５の開口縁５ａに突き当たってロックプレート５６を停止させることから、高さ寸法を異にするＦＤ挿脱口５を有する複数のＦＤ装置３に対しても互換使用することが可能である。
【００８２】
不正使用防止装置５０は、鍵体５３からキー５２が抜き取られることによって、ＦＤ挿脱口５を貫通する連結プレート５５と、ＦＤ挿脱口５内に嵌合するロックプレート５６とによってこのＦＤ挿脱口５を閉塞した状態とする。不正使用防止装置５０は、第三者が不正使用を目的としてケース体５１を把持してＦＤ挿脱口５から無理に抜取り操作を行った場合でも、記録再生部１１に保持された疑似ディスクカートリッジ体５４が前端部５４ａをＦＤ装置３の内部でシャーシに突き当てさせて前面部４ａで係止されることによって抜取り操作を不能とさせる。不正使用防止装置５０は、大きな領域で疑似ディスクカートリッジ体５４を係止することでＦＤ装置３に部分的な過大荷重の負荷を抑制して各部に損傷を発生させることを防止しかつ強固なロックが行われるようにする。
【００８３】
不正使用防止装置５０は、第三者が不正使用を目的としてＦＤイジェクトボタン８を操作してＦＤ挿脱口５から取り外そうとしても、取り外しを不能とさせる。すなわち、不正使用防止装置５０は、ＦＤイジェクトボタン８の操作によってイジェクト機構が記録再生部１１から疑似ディスクカートリッジ体５４をローディング空間部１０へと押し上げようとしても、ＦＤ挿脱口５内においてロックプレート５６が移動されないことから、疑似ディスクカートリッジ体５４のイジェクト動作を不能とさせる。不正使用防止装置５０は、不正なイジェクト操作が行われてもロックプレート５６がＦＤ挿脱口５に対して大きな力を及ぼすことはなく、各部に損傷を発生させることを防止しかつ強固なロックが行われるようにする。
【００８４】
不正使用防止装置５０は、鍵穴５９に正規のキー５２を差し込んで解錠操作を行うことによって、ＦＤ挿脱口５からの取り外しが可能となる。不正使用防止装置５０は、キー５２の解錠操作によって、鍵体５３の駆動ロッド６０が鍵本体部へと収納される方向へとスライド動作する。不正使用防止装置５０は、駆動ロッド６０が係合凹溝６４を介して連結されたロックプレート５６をＦＤ挿脱口５内から外方へと引き出させる。
【００８５】
不正使用防止装置５０は、ロックプレート５６が連結プレート５５の主面上を外方に向かってスライド動作してＦＤ挿脱口５から抜け出る。したがって、不正使用防止装置５０は、上述したＦＤイジェクトボタン８によるイジェクト機構の動作が可能な状態となり、疑似ディスクカートリッジ体５４が記録再生部１１からローディング空間部１０を介してＦＤ挿脱口５から突き出された状態となる。不正使用防止装置５０は、手掛け開口部６１を把持して引き出し操作が行われることで、ＦＤ装置３からの取り外しが行われる。
【００８６】
不正使用防止装置５０は、上述したようにＦＤ挿脱口５に組み付けられてキー５２による施錠操作が行われることによってＦＤ装置３を使用不能な状態とする。したがって、不正使用防止装置５０は、パーソナルコンピュータ１を起動してＦＤ装置３からハードディスクへのアクセスを行うといった不正操作を防止する。
【００８７】
なお、上述した実施の形態においては、ケース体５１に疑似ディスクカートリッジ体５４を組み合わせるようにしたが、例えば疑似ディスクカートリッジ体５４がカートリッジの内部にデータ等を記録することが可能なＦＤを収納したＦＤカートリッジであってもよいことは勿論である。かかる不正使用防止装置は、不正使用の防止機能を有するＦＤカートリッジを構成する。
【図面の簡単な説明】
【００８８】
【図１】ＦＤ装置を内蔵したパーソナルコンピュータと不正使用防止装置の示す要部分解斜視図である。
【図２】パーソナルコンピュータに不正使用防止装置を組み付けた状態の要部斜視図である。
【図３】ＦＤ装置の記録再生部にＦＤを装填する動作を説明する要部断面図である。
【図４】不正使用防止装置の内部構造を示す要部斜視図である。
【図５】ロック部を構成する連結プレートと第１ロックプレート及び第２ロックプレートを示す要部分解斜視図である。
【図６】ＦＤ装置に不正使用防止装置を組み付けた状態の要部断面図である。
【図７】不正使用防止装置を施錠状態とした要部断面図である。
【図８】第２の実施の形態として示した不正使用防止装置の底面側からの斜視図である。
【図９】同不正使用防止装置の底面図である。
【図１０】同不正使用防止装置の内部構造を示す要部斜視図である。
【図１１】ロック部を構成する連結プレートとロックプレートとの構成を示す要部斜視図である。
【図１２】ＦＤ装置に不正使用防止装置を組み付けた状態の要部断面図である。
【図１３】不正使用防止装置を施錠状態とした要部断面図である。
【符号の説明】
【００８９】
１  パーソナルコンピュータ、２  フレキシブルディスク（ＦＤ）、３  フレキシブルディスク装置（ＦＤ装置）、４  筐体、５  ＦＤ挿脱口、８  ＦＤイジェクトボタン、１０  ローディング空間部、１１  記録再生部、１２  スピンドルハブ、１４  ＦＤ駆動機構、２０  不正使用防止装置、２１  ケース体、２２  緩衝カバー、２３  キー、２４  鍵体、２５  疑似ディスク体、２６  連結プレート、２７  第１ロックプレート、２８  第２ロックプレート、２９  バネ部材、３０  アッパハーフ、３１  ロアハーフ、３２  ガイド開口部、３３  鍵体組付穴、３４  鍵体ブロック体、３５  鍵本体部、３６  鍵穴、３７  駆動ロッド、３８  ハブ、３９  カムピン、４０  係合部、４１  バネ取付穴、４２  ロックテーパ部、４３  カム溝、５０  不正使用防止装置、５１  ケース体、５２  キー、５３  鍵体、５４  疑似ディスクカートリッジ体、５５  連結プレート、５６  ロックプレート、５７  ガイド開口部、６０  駆動ロッド、６１  手掛け開口部、６４  係合凹溝、６５  ロックテーパ部
【図１】
2006302448.tif 000003
【図２】
2006302448.tif 000004
【図３】
2006302448.tif 000005
【図４】
2006302448.tif 000006
【図５】
2006302448.tif 000007
【図６】
2006302448.tif 000008
【図７】
2006302448.tif 000009
【図８】
2006302448.tif 000010
【図９】
2006302448.tif 000011
【図１０】
2006302448.tif 000012
【図１１】
2006302448.tif 000013
【図１２】
2006302448.tif 000014
【図１３】
2006302448.tif 000015